【事件の表示】
　特許第２７４８３１３号「パチンコ遊技機」の請求項１に係る特許に対する特許異議の申立てについて、次のとおり決定する。
【結　論】
　訂正を認める。
　特許第２７４８３１３号の請求項１に係る特許を維持する。
【理　由】
１．手続の経緯
　本件特許第２７４８３１３号発明は、昭和６１年１０月１日に出願された原出願（親出願）の実願昭６１−１５２００１号を分割した、実願平２−７９１５０号の分割出願（子出願）を変更出願（孫出願）した、特願平６−１２８２９９号を分割出願した、特願平８−１３４０８０号を更に分割した特願平９−６３７２４号出願であって、平成１０年２月２０日にその特許権の設定登録がなされ、その後、特許異議申立人河井清悦より特許異議の申し立てがなされた。これに対し、当審より平成１２年２月８日付で第２回目の取消理由通知がなされ、その指定期間内である平成１２年４月２５日に特許権者より訂正請求がなされたものである。
　なお、平成１１年３月２６日付の第１回目の取消理由通知に対する、平成１１年６月１４日付訂正請求書は取り下げられた。
２．訂正の適否についての判断
１）訂正の要旨
（１）訂正事項ａ
　特許明細書の特許請求の範囲第１項に係る記載
　「【請求項１】　特定入賞口に打球が入賞することにより可変表示体に図柄が表示され、この表示された図柄があらかじめ定められた特賞発生図柄と一致することにより入賞開口の開閉扉を開放する特賞が発生して打球の入賞を容易にするパチンコ遊技機において、　
　遊技の進行状況に応じて前記可変表示体に表示される特賞発生図柄の出現確率を第１の確率から該第１の確率より高い第２の確率に変化させ、前記可変表示体に表示される特賞発生図柄の出現確率を前記第１の確率から第２の確率に変化させた場合に、その可変表示体の表示態様により前記特賞発生図柄の出現確率が前記第２の確率で可変表示されていることを遊技者が判別できるよう前記可変表示体を制御する表示制御手段を設けたことを特徴とするパチンコ遊技機。」を、特許請求の範囲の減縮を目的として、
　「【請求項１】　特定入賞口に打球が入賞することにより可変表示体に図柄が表示され、この表示された図柄があらかじめ定められた特賞発生図柄と一致することにより入賞開口の開閉扉を開放する特賞が発生し、その特賞発生期間中に打球が始動口に入賞すると前記開閉扉を開放して打球の入賞を容易にするパチンコ遊技機において、　
　遊技の進行状況に応じて前記可変表示体に表示される特賞発生図柄の出現確率を第１の確率から該第１の確率より高い第２の確率に変化させ、前記可変表示体に表示される特賞発生図柄の出現確率を前記第１の確率から第２の確率に変化させた場合に、その可変表示体の表示態様により前記特賞発生図柄の出現確率が前記第２の確率で可変表示されていることを遊技者が判別できるよう前記可変表示体を制御する表示制御手段を設けたことを特徴とするパチンコ遊技機。」
と訂正する。
（２）訂正事項ｂ
　特許明細書の段落０００４に係る記載
　「【課題を解決するための手段】　
　上記した目的を達成するために、本発明においては、特定入賞口に打球が入賞することにより・・・・・・・・・・・・・・・・遊技者が判別できるよう前記可変表示体を制御する表示制御手段を設けたことを特徴とするものである。」を、明りょうでない記載の釈明を目的として、
　「【課題を解決するための手段】
　上記した目的を達成するために、本発明においては、特定入賞口に打球が入賞することにより可変表示体に図柄が表示され、この表示された図柄があらかじめ定められた特賞発生図柄と一致することにより入賞開口の開閉扉を開放する特賞が発生し、その特賞発生期間中に打球が始動口に入賞すると前記開閉扉を開放して打球の入賞を容易にするパチンコ遊技機において、遊技の進行状況に応じて前記可変表示体に表示される特賞発生図柄の出現確率を第１の確率から該第１の確率より高い第２の確率に変化させ、前記可変表示体に表示される特賞発生図柄の出現確率を前記第１の確率から第２の確率に変化させた場合に、その可変表示体の表示態様により前記特賞発生図柄の出現確率が前記第２の確率で可変表示されていることを遊技者が判別できるよう前記可変表示体を制御する表示制御手段を設けたことを特徴とするものである。」
と訂正する。
（３）訂正事項ｃ
　特許明細書の段落０００５に係る記載
　「【作用】　
　本発明のパチンコ遊技機は、特定入賞口に打球が入賞することにより可変表示体に図柄が表示され、・・・・・・・・・・・・・・・・遊技に抑揚を持たせて遊技の単調化を防止し、もって遊技者の興趣を引き付けることが可能となる。」を、明りょうでない記載の釈明を目的として、
　「【作用】　
　本発明のパチンコ遊技機は、特定入賞口に打球が入賞することにより可変表示体に図柄が表示され、この表示された図柄があらかじめ定められた特賞発生図柄と一致することにより入賞開口の開閉扉を開放する特賞が発生し、その特賞発生期間中に打球が始動口に入賞すると開閉扉を開放して打球の入賞を容易とするものである。そして、表示制御手段は、遊技の進行状況に応じて前記可変表示体に表示される特賞発生図柄の出現確率を第１の確率から該第１の確率より高い第２の確率に変化させ、前記可変表示体に表示される特賞発生図柄の出現確率を前記第１の確率から第２の確率に変化させた場合に、その可変表示体の表示態様により前記特賞発生図柄の出現確率が前記第２の確率で可変表示されていることを遊技者が判別できるよう前記可変表示体を制御する。このように、本発明においては、特賞発生状態が定まったテンポで出現することがなく、遊技に抑揚を持たせて遊技の単調化を防止し、もって遊技者の興趣を引き付けることが可能となる。」
と訂正する。
２）訂正の目的の適否及び拡張・変更の存否
（１）訂正事項ａ
　訂正事項ａは、特許明細書の特許請求の範囲請求項１に記載された「打球の入賞を容易にする」を、「その特賞発生期間中に打球が始動口に入賞すると前記開閉扉を開放して打球の入賞を容易にする」に縮小限定するものであり、特許請求の範囲の減縮を目的とするものであると認められる。そして、「特賞発生期間中に打球が始動口に入賞すると前記開閉扉を開放する」点は、特許明細書の段落００１２の「上記した入賞開口４の開閉扉５を開放する権利が発生している期間に打球が始動口２０に入賞すれば、入賞開口４の開閉扉５が開放するのであるが、」という記載から明らかなように、発明の詳細な説明の欄に明瞭に記載されているから、上記訂正事項ａは、願書に最初に添付した明細書又は図面に記載した事項の範囲内の訂正であり、また、実質上特許請求の範囲を拡張し又は変更するものではない。
（２）訂正事項ｂ及びｃ
　訂正事項ｂ及びｃは、特許請求の範囲の請求項１の訂正に応じて、これと整合するように発明の詳細な説明の欄を訂正したものであって、明りょうでない記載の釈明を目的とするものである。そして、願書に最初に添付した明細書又は図面に記載した事項の範囲内の訂正であり、実質上特許請求の範囲を拡張し又は変更するものではない。
３）独立特許要件の判断
　当審の平成１２年２月８日付取消理由は、本件特許の請求項１における「特定入賞口に打球が入賞することにより可変表示体に図柄が表示され、この表示された図柄があらかじめ定められた特賞発生図柄と一致することにより入賞開口の開閉扉を開放する特賞が発生して打球の入賞を容易にするパチンコ遊技機」の構成は、上記親出願の願書に最初に添付した明細書には記載されていないので、本件特許に係る出願は、適法な分割出願とは認められず、本件特許の請求項１に係る発明は、
刊行物１　特開昭５９−１４６６８１号公報
刊行物２　実願昭６１−１５２００１号（実開昭６３−５９６８２号）のマイク　　　　　ロフィルム
に記載された発明に基づいて当業者が容易に発明をすることができたものであるから、特許法第２９条第２項の規定により特許を受けることができないものであって、本件特許は取り消すべきというものである。
　そこで、訂正された請求項１に係る発明が分割要件を満たしているか否かを検討する。
　訂正後の請求項１の
　「特定入賞口に打球が入賞することにより可変表示体に図柄が表示され、この表示された図柄があらかじめ定められた特賞発生図柄と一致することにより入賞開口の開閉扉を開放する特賞が発生し、その特賞発生期間中に打球が始動口に入賞すると前記開閉扉を開放して打球の入賞を容易にするパチンコ遊技機」に対して、上記親出願の願書に最初に添付した明細書には、これと同様の構成である、
　「特定入賞口に遊技球が入賞することにより特別装置に設けられる可変表示体に図柄が可変表示され、この表示された図柄があらかじめ定められた図柄と一致した場合に大入賞口の扉を開く権利が発生あるいは消滅し、権利発生期間内に遊技球が始動口に入賞すると大入賞口の扉が開き、遊技球の入賞を容易にするパチンコ遊技機、」が記載されており、分割は適法なものと認めることができる。なお、上記訂正後の請求項１に係る発明は、上記子出願実願平２−７９１５０号、上記孫出願特願平６−１２８２９９号、及び該孫出願を分割した特願平８−１３４０８０号の何れの願書に最初に添付した明細書又は図面にも記載されているので、本件特許に係る出願は適法な分割出願であって、その出願日は、上記親出願の出願日である昭和６１年１０月１日と認める。
　したがって、刊行物２は、昭和６３年４月２０日に発行されたものであって、本件特許に係る出願の出願前に頒布された刊行物ではない。そして、刊行物１には、本件請求項１に係る発明の「遊技の進行状況に応じて前記可変表示体に表示される特賞発生図柄の出現確率を第１の確率から該第１の確率より高い第２の確率に変化させ、前記可変表示体に表示される特賞発生図柄の出現確率を前記第１の確率から第２の確率に変化させた場合に、その可変表示体の表示態様により前記特賞発生図柄の出現確率が前記第２の確率で可変表示されていることを遊技者が判別できるよう前記可変表示体を制御する表示制御手段を設けた 」点について記載されておらず、また、これを示唆する記載も認められないので、本件請求項１に係る発明は、刊行物１に記載された発明であるとも、刊行物１に記載された発明に基づいて当業者が容易に発明をすることができたものともすることはできない。
　したがって、訂正後の請求項１に係る発明は、特許出願の際独立して特許を受けることができるものである。
４）まとめ
　以上のとおりであるから、上記訂正請求は、特許法第１２０条の４第２項及び同条第３項で準用する第１２６条第２項乃至第４項の規定に適合するので、当該訂正を認める。
３．特許異議の申立てについての判断
１）特許異議申立ての概要
　特許異議申立人河井清悦は、甲第１号証として特開昭５９−１４６６８１号公報を、また、甲第２号証として特開昭５８−１４３７８３号公報を提出して、「本件特許発明は、出願時に添付の明細書及び図面に記載された事項以外の事項を特許請求の範囲で要件としているものであり、特許法第３６条第６項に違反し、また甲第１号証に記載された発明にすでに開示されているものであり特許法第２９条第１項第３号に該当し、又は甲第１号証に甲第２号証を適用することにより、その発明の属する技術の分野における通常の知識を有する者が容易に発明をすることができたものであるから、特許法第２９条第２項の規定に該当し、さらに、甲第３号証として特開平７−２４６２７１号公報を提出して、甲第３号証に記載されたものと同一であって発明者または出願人（権利者）が異なるものであり特許法第２９条の２の規定により特許を受けることができないものであり、特許法第１１３条第１項第２号、特許法第１１３条第１項第４号の規定により取り消すべきものである。」と主張している。
２）特許異議申立の具体的理由に対する当合議体の判断
（１）記載不備について
　特許異議申立人は、訂正後の特許請求の範囲請求項１に係る記載のうち、
ア．「遊技の進行状況に応じて前記可変表示体に表示される特賞発生図柄の出現確率を第１の確率から該第１の確率より高い第２の確率に変化させ」
イ．「前記第２の確率で可変表示されていることを遊技者が判別できるよう前記可変表示体を制御する表示制御手段を設けた」
については、本件出願当初の明細書に記載されたものではないから、本件発明の要旨を変更するものであり、特許法第３６条に違反している旨主張しているが、特許法第３６条は、明細書の記載要件を規定したものであって、明細書又は図面の補正の内容についての要件を規定したものではないから、本件特許に係る出願の補正が要旨変更であることを理由として、本件特許発明が特許法第３６条の規定に違反するという特許異議申立人の主張は採用することができない。
（２）特許法第２９条の２違反について
　特許異議申立人は、「本件特許発明は、一番最初の親出願の出願日から相当な期間の経過後である平成９年３月１０日及び平成９年１０月 ３日に特許請求の範囲及び明細書の一部を補正し、この補正内容は、前述したように、親の出願の明細書及び本件特許出願の出願当初の明細書に記載のない事項を記述したものであり、その記載内容は、次述する甲第３号証（公開日：平成７年９月２６日）と同じ内容である。」と主張している。
　そこで、まず、分割要件について検討する。上記親出願の明細書には、第１７頁第２行乃至第１８頁第１４行には、「初期の通常状態では、遊技球が特定入賞口（１）に入賞した場合、特別装置（３）の３つのセグメント表示体（２ａ）（２ｂ）（２ｃ）全てに数字が表示され、３桁の数字が表示される。この数字があらかじめ定められている３桁の数字（例えば７７７）と一致した場合に限り、大入賞口（４）の扉（５）を開く権利が発生する（この権利が発生する確率は低いものとなる）。権利が発生している状態で遊技球が特定入賞口（１）に入賞すると、特別装置３の左のセグメント表示体（２ａ）のみに数字が表示され、この数字があらかじめ定められている数字（例えば０）と一致した場合に限り、権利が消滅する（この権利が消滅する確率は初期の通常状態で権利が発生する確率より極めて高いものとなる）。一度権利が発生し、その後この権利が消滅した状態で、遊技球が特定入賞口（１）に入賞すると、特別装置（３）の中央のセグメント表示体（２ｂ）のみに数字が表示され、この数字があらかじめ定められている数字（例えば７）と一致した場合に限り、権利が再び発生する（この権利が発生する確率は初期の通常状態で権利が発生する確率より極めて高いものとなる）。権利が発生している状態で遊技球が特定入賞口（１）に入賞すると、特別装置（３）の右のセグメント表示体（２ｃ）のみに数字が表示され、この数字があらかじめ定められている数字（例えば０）と一致した場合に限り権利が消滅し、初期の通常状態に戻る。このように本考案に係るパチンコ遊技機によれば、権利を発生及び消滅させる数字を位置を変えて表示することに加え、権利を発生及び消滅させる確率をも変化させることが可能である。」と記載されている。そして、本件特許に係る出願の出願当初の明細書の段落【０００８】にも、これと同様の記載もある。
　上記記載によれば、遊技の進行状況として打球（遊技球）が特定入賞口１に入賞した場合、特別装置３の３つのセグメント表示体２ａ〜２ｃに３桁の数字を表示させ、例えば、７７７と一致した場合に限り、入賞開口（大入賞口）４の開閉扉５を開放する権利を発生させる（この権利を発生する確率は、３つの数字を揃えなければならないので低い第１の確率のものとなる）。更に、遊技の進行状況として上記の如く一度権利が発生し、その後この権利が消滅した状態で打球が特定入賞口１に入賞すると、特別装置３の中央のセグメント表示体２ｂのみに数字が表示され、この数字があらかじめ定められている数字（例えば、７）と一致した場合に限り、権利が再び発生する（この権利が発生する確率は、初期の通常状態で権利が発生する確率より極めて高い第２の確率のものとなる）。
　即ち、上記アの如く「遊技の進行状況に応じて２ａ〜２ｃの三つの可変表示体に表示される特賞発生図柄７７７の出現確率を第１の低い確率から該第１の確率より高い第２の高い確率に変化させ」る点が記載されている。また、上記イの如く「前記第２の高い確率で可変表示されていることを遊技者が判別できるよう２ａ〜２ｃの三つの可変表示体の順にその一つに表示するように前記可変表示体を制御する表示制御手段を設けた」点が記載されていると言える。
　結局、上記ア及びイは、前記親出願の明細書及び本件特許に係る出願の出願当初の明細書のいずれにも記載されたものであるから、本件特許に係る出願の出願日が、上記親出願の出願日まで遡及しないとする理由はない。そうすると、出願日が平成５年１月２０日である甲第３号証に係る特許出願は、特許法第２９条の２の他の出願にあたらない。
（３）新規性・進歩性について
　甲第１号証である特開昭５９−１４６６８１号公報及び甲第２号証である特開昭５８−１４３７８３号公報の何れにも本件請求項１に係る発明の
　「遊技の進行状況に応じて前記可変表示体に表示される特賞発生図柄の出現確率を第１の確率から該第１の確率より高い第２の確率に変化させ、前記可変表示体に表示される特賞発生図柄の出現確率を前記第１の確率から第２の確率に変化させた場合に、その可変表示体の表示態様により前記特賞発生図柄の出現確率が前記第２の確率で可変表示されていることを遊技者が判別できるよう前記可変表示体を制御する表示制御手段を設け」る点が記載されておらず、また、これを示唆する記載も認められないので、本件請求項１に係る発明が、甲第１号証及び甲第２号証の各刊行物に記載されているとも、甲第１号証及び甲第２号証の各刊行物に記載の発明に基いて当業者が容易に発明をすることができたとすることもできない。
４．むすび
　以上のとおりであるから、特許異議の申立ての理由及び証拠によっては、本件請求項１に係る特許を取り消すことはできない。
　また、他に、本件請求項１に係る特許を取り消すべき理由を発見しない。
　よって、結論のとおり決定する。
【異議決定日】
平成１２年８月７日（２０００．８．７）
【訂正の要旨】
１．訂正の要旨
１）訂正事項ａ
　特許明細書の特許請求の範囲第１項に係る記載
　「【請求項１】　特定入賞口に打球が入賞することにより可変表示体に図柄が表示され、この表示された図柄があらかじめ定められた特賞発生図柄と一致することにより入賞開口の開閉扉を開放する特賞が発生して打球の入賞を容易にするパチンコ遊技機において、
　遊技の進行状況に応じて前記可変表示体に表示される特賞発生図柄の出現確率を第１の確率から該第１の確率より高い第２の確率に変化させ、前記可変表示体に表示される特賞発生図柄の出現確率を前記第１の確率から第２の確率に変化させた場合に、その可変表示体の表示態様により前記特賞発生図柄の出現確率が前記第２の確率で可変表示されていることを遊技者が判別できるよう前記可変表示体を制御する表示制御手段を設けたことを特徴とするパチンコ遊技機。」を、特許請求の範囲の減縮を目的として、
　「【請求項１】　特定入賞口に打球が入賞することにより可変表示体に図柄が表示され、この表示された図柄があらかじめ定められた特賞発生図柄と一致することにより入賞開口の開閉扉を開放する特賞が発生し、その特賞発生期間中に打球が始動口に入賞すると前記開閉扉を開放して打球の入賞を容易にするパチンコ遊技機において、
　遊技の進行状況に応じて前記可変表示体に表示される特賞発生図柄の出現確率を第１の確率から該第１の確率より高い第２の確率に変化させ、前記可変表示体に表示される特賞発生図柄の出現確率を前記第１の確率から第２の確率に変化させた場合に、その可変表示体の表示態様により前記特賞発生図柄の出現確率が前記第２の確率で可変表示されていることを遊技者が判別できるよう前記可変表示体を制御する表示制御手段を設けたことを特徴とするパチンコ遊技機。」
と訂正する。
２）訂正事項ｂ
　特許明細書の段落０００４に係る記載
　「【課題を解決するための手段】
　上記した目的を達成するために、本発明においては、特定入賞口に打球が入賞することにより・・・・・・・・・・・・・・・・遊技者が判別できるよう前記可変表示体を制御する表示制御手段を設けたことを特徴とするものである。」を、明りょうでない記載の釈明を目的として、
　「【課題を解決するための手段】
　上記した目的を達成するために、本発明においては、特定入賞口に打球が入賞することにより可変表示体に図柄が表示され、この表示された図柄があらかじめ定められた特賞発生図柄と一致することにより入賞開口の開閉扉を開放する特賞が発生し、その特賞発生期間中に打球が始動口に入賞すると前記開閉扉を開放して打球の入賞を容易にするパチンコ遊技機において、遊技の進行状況に応じて前記可変表示体に表示される特賞発生図柄の出現確率を第１の確率から該第１の確率より高い第２の確率に変化させ、前記可変表示体に表示される特賞発生図柄の出現確率を前記第１の確率から第２の確率に変化させた場合に、その可変表示体の表示態様により前記特賞発生図柄の出現確率が前記第２の確率で可変表示されていることを遊技者が判別できるよう前記可変表示体を制御する表示制御手段を設けたことを特徴とするものである。」
と訂正する。
３）訂正事項。
　特許明細書の段落０００５に係る記載
　「【作用】
　本発明のパチンコ遊技機は、特定入賞口に打球が入賞することにより可変表示体に図柄が表示され、・・・・・・・・・・・・・・・・遊技に抑揚を持たせて遊技の単調化を防止し、もって遊技者の興趣を引き付けることが可能となる。」を、明りょうでない記載の釈明を目的として、
　「【作用】
　本発明のパチンコ遊技機は、特定入賞口に打球が入賞することにより可変表示体に図柄が表示され、この表示された図柄があらかじめ定められた特賞発生図柄と一致することにより入賞開口の開閉扉を開放する特賞が発生し、その特賞発生期間中に打球が始動口に入賞すると開閉扉を開放して打球の入賞を容易とするものである。そして、表示制御手段は、遊技の進行状況に応じて前記可変表示体に表示される特賞発生図柄の出現確率を第１の確率から該第１の確率より高い第２の確率に変化させ、前記可変表示体に表示される特賞発生図柄の出現確率を前記第１の確率から第２の確率に変化させた場合に、その可変表示体の表示態様により前記特賞発生図柄の出現確率が前記第２の確率で可変表示されていることを遊技者が判別できるよう前記可変表示体を制御する。このように、本発明においては、特賞発生状態が定まったテンポで出現することがなく、遊技に抑揚を持たせて遊技の単調化を防止し、もって遊技者の興趣を引き付けることが可能となる。」
と訂正する。
（５４）【発明の名称】
パチンコ遊技機
（５７）【特許請求の範囲】
　　【請求項１】　特定入賞口に打球が入賞することにより可変表示体に図柄が表示され、この表示された図柄があらかじめ定められた特賞発生図柄と一致することにより入賞開口の開閉扉を開放する特賞が発生し
、その特賞発生期間中に打球が始動口に入賞すると前記開閉扉を開放し
　遊技の進行状況に応じて前記可変表示体に表示される特賞発生図柄の出現確率を第１の確率から該第１の確率より高い第２の確率に変化させ、前記可変表示体に表示される特賞発生図柄の出現確率を前記第１の確率から第２の確率に変化させた場合に、その可変表示体の表示態様により前記特賞発生図柄の出現確率が前記第２の確率で可変表示されていることを遊技者が判別できるよう前記可変表示体を制御する表示制御手段を設けたことを特徴とするパチンコ遊技機。
【発明の詳細な説明】
　　　【０００１】
　　【発明の属する技術分野】
　本発明は、パチンコ遊技機に関するものである。
　　　【０００２】
　　　【従来の技術】
　従来、特定入賞口に打球が入賞することにより特別装置に設けられる可変表示体に図柄が表示され、この表示された図柄があらかじめ定められた図柄と一致した場合に入賞開口の開閉扉を開放する権利が発生し、権利発生期間内に打球が始動入賞口に入賞すると入賞開口の開閉扉が開放して打球の入賞を容易にするパチンコ遊技機が市場に提供されていた。このようなパチンコ遊技機においては、可変表示体に表示される権利発生図柄の出現確率がいつも同じとなるように可変表示体が表示制御されていた。
　　　【０００３】
　　【発明が解決しようとする課題】
　このため、権利発生状態が同じようなテンポで出現するため、遊技に抑揚がなく遊技を単調化させてしまうという問題があった。本発明は、上記した問題点に鑑みなされたもので、その目的とするところは、特賞発生状態の出現に抑揚を持たせ、もって遊技者の興趣を得ることができるパチンコ遊技機を提供することにある。
　　　【０００４】
　　【課題を解決するための手段】
　上記した目的を達成するために、本発明においては、特定入賞口に打球が入賞することにより可変表示体に図柄が表示され、この表示された図柄があらかじめ定められた特賞発生図柄と一致することにより入賞開口の開閉扉を開放する特賞が発生し
、その特賞発生期間中に打球が始動口に入賞すると前記開閉扉を開放し
　　　【０００５】
　　【作用】
　本発明のパチンコ遊技機は、特定入賞口に打球が入賞することにより可変表示体に図柄が表示され、この表示された図柄があらかじめ定められた特賞発生図柄と一致することにより入賞開口の開閉扉を開放する特賞が発生し
、その特賞発生期間中に打球が始動口に入賞すると開閉扉を開放し
　　　【０００６】
　　【発明の実施の形態】
　以下、図面を参照して、本発明の実施例について説明する。なお、本実施例に記載されている構成部品の寸法、材質、形状、その相対位置などは、特に特定的な記載がない限りは、この発明の範囲をそれらのみに限定する趣旨のものではなく、単なる説明例にすぎないものである。
　　　【０００７】
　本実施例に係るパチンコ遊技機は、図１に示すように、遊技盤１００のほぼ中央に変動入賞装置１０、その両サイドに始動入賞口２０等を備えている。変動入賞装置１０には、図２乃至図５に示すように、その上部に特定入賞口１が設けられ、その下方に可変表示体となる３つのセグメント表示体２ａ〜２ｃが並設されてなる特別装置３が設けられ、さらに該特別装置３の下方には、長方形状の入賞開口４が形成されている。入賞開口４には、透明な合成樹脂により形成される開閉扉５が入賞開口４を開閉するように設けられている。また、入賞開口４の下方には、開閉扉５の開放回数を示す複数（８個）のランプ６も設けられている。また、入賞開口４の内部であって、その後面壁に入賞球カウンタ表示器７が設けられている。このため、開閉扉５の第１の状態、すなわち開放状態での入賞球の発生状態と入賞した入賞球数の確認が入賞開口４部分への注意だけでよいため、遊技に集中できる。また、開閉扉５が透明な部材で形成されているため、開閉扉５が開放中はむろんのこと、開閉扉５が閉じた状態でも前回の開放中に入賞した入賞個数を確認することができる。
　　　【０００８】
　ところで、上記のように構成される遊技盤１００における遊技内容について以下説明すると、初期の通常状態では、打球が特定入賞口１に入賞した場合、特別装置３の３つのセグメント表示体２ａ〜２ｃ全ての可変表示を停止させて数字を表示させ、結果的に３桁の数字を表示させる。そして、この３桁の数字があらかじめ定められている３桁の数字（例えば、７７７）と一致した場合に限り、入賞開口４の開閉扉５を開放する権利を発生させる（この権利を発生する確率は、３つの数字を揃えなければならないので低いものとなる）。権利が発生している状態で打球が特定入賞口１に入賞すると、特別装置３の左のセグメント表示体２ａのみが再度可変表示してその後停止され、数字を表示する。この表示された数字があらかじめ定められている数字（例えば、０）と一致した場合に限り、権利が消滅する（本実施例において、この権利が消滅する確率は、初期の通常状態で権利が発生する確率よりも極めて高いものに設定されている）。一度権利が発生し、その後この権利が消滅した状態で打球が特定入賞口１に入賞すると、特別装置３の中央のセグメント表示体２ｂのみが再度可変表示してその後停止され、数字が表示され、この数字があらかじめ定められている数字（例えば、７）と一致した場合に限り、権利が再び発生する（この権利が発生する確率は、初期の通常状態で権利が発生する確率より極めて高いものとなる）。権利が発生している状態で打球が特定入賞口１に入賞すると、特別装置３の右側のセグメント表示体２ｃのみが再度可変表示してその後停止され、数字が表示され、この数字があらかじめ定められている数字（例えば、０）と一致した場合に限り権利が消滅し、初期の通常状態に戻る。このように本実施例に示される変動入賞装置１０に含まれる特別装置３は、権利を発生及び消滅させる数字の位置を変えて表示することに加えて、権利を発生及び消滅させる確率をも変化させることが可能である。
　　　【０００９】
　なお、上記した遊技内容において、権利の発生、権利の消滅というサイクルが繰り返される毎に、権利の発生及び消滅させる数字の表示位置が左のセグメント表示体２ａから右のセグメント表示体２ｃへと順次移動する具体的な構成として、図６に示される回路が使用される。これについて説明すると、通常の状態においては、ハイレベル信号が常にフリップフロップ３２ａ〜３２ｃに送られており、このハイレベル信号は、セグメント表示体２ａ〜２ｃを可変表示指令するためのフリップフロップ３２ａ〜３２ｃをセットする。フリップフロップセット出力は、対応するパルス発振回路３３ａ〜３３ｃに発振指令信号として与えられる。応じて、パルス発振回路３３ａ〜３３ｃは、複数個の発光ダイオードからなるセグメント表示体２ａ〜２ｃを順次循環的に数値表示させる。パルス発振回路３３ａ〜３３ｃは、この場合にセグメント表示体２ａ〜２ｃの数値表示が遊技者に視認できないような速度で表示切り換えするための周波数のパルスを発生するものであって、そのパルス発生出力に対応するリングカウンタ３４ａ〜３４ｃに与える。リングカウンタ３４ａ〜３４ｃは、パルス入力がある毎に順次その計数値を数値「１」づつ加算し、循環的に数値０、１〜９を計数し、その計数値を表わすコード化信号を対応するセグメントデコーダ３５ａ〜３５ｃに与える。セグメントデコーダ３５ａ〜３５ｃは、対応するリングカウンタ３４ａ〜３４ｃの計数値に基づいてデコードし、数値０、１〜９に対応するセグメントデータを対応するセグメントドライバー回路３６ａ〜３６ｃに与える。このセグメントドライバー回路３６ａ〜３６ｃは、セグメント表示体２ａ〜２ｃに含まれる各発光ダイオードに対応して複数のトランジスタを設けてなり、セグメントデコータ３５ａ〜３５ｃからの表示指令信号に基づいて導通し、対応する発光ダイオードを点灯表示させる。このようにしてセグメント発光体２ａ〜２ｃは、複数の発光ダイオードがそれぞれ個別的にかつ循環的に点灯表示されることにより、その表示態様を可変する。
　　　【００１０】
　このように、通常遊技者に視認できないような速度で常にセグメント表示体２ａ〜２ｃに数値が可変表示されており、このような状態で打球が特定入賞口１に入賞すると、特定入賞口１に入賞した打球の通路に設けられている入賞球検出スイッチ３０が閉成されるため、例えばハイレベル信号が入賞球検出スイッチ３０及びＯＲゲートを介してフリップフロップ３２ａ〜３２ｃをリセットする。フリップフロップ３２ａ〜３２ｃのリセット出力は、パルス発振回路３３ａ〜３３ｃに発振停止指令信号として与えられるため、パルス発振回路３３ａ〜３３ｃが発振動作を停止する。このため、リングカウンタ３４ａ〜３４ｃは、計数動作を停止し、それまで計数していた数値のコード化信号を連続的にセグメントデコーダ３５ａ〜３５ｃに与える。例えば、リングカウンタ３４ａ〜３４ａの計数値が数値「１」であれば、数値「１」を表わすコード化信号（０００１）がセグメントデコーダ３５ａ〜３５ｃに与えられるため、セグメントデコーダ３５ａ〜３５ｃは、数値「１」に対応する発光ダイオードを点灯指令し、発光ダイオードに対応するトランジスタに連続的にハイレベル信号を与える。したがって、セグメントドライバー回路３６ａ〜３６ｃに含まれる発光ダイオードに対応するトランジスタが連続的に導通するため、発光ダイオードに連続的に電源ＶＤからの電流が流れ、発光ダイオードが連続的に発光表示し、セグメント表示体２ａ〜２ｃの可変表示状態が停止する。
　　　【００１１】
　そして、セグメント表示体２ａ〜２ｃが可変表示状態を停止した場合において、セグメント表示体２ａ〜２ｃによって表示されている数値に基づいて、変動入賞装置１０を制御するために、セグメント表示体２ａ〜２ｃに対応するリングカウンタ３４ａ〜３４ｃの出力が判定回路３７に与えられる。この判定回路３７には、設定部３８からの設定情報が与えられている。この設定部３８は、セグメント表示体２ａ〜２ｃのあらかじめ定められた数値を設定している。そこで、判定回路３７は、セグメント表示体２ａ〜２ｃが可変表示状態を停止したときのリングカウンタ３４ａ〜３４ｃの出力に基づいて、セグメント表示体２ａ〜２ｃに表示されている数値を設定部３８から与えられている数値と比較判定し、判定出力を変動入賞装置１０を制御する制御部３９に与える。制御部３９は、判定回路３７からの判定出力がセグメント表示体２ａ〜２ｃに表示された数値とあらかじめ設定部３８に定められていた数値（例えば、７７７）と同一であるというものであれば、入賞開口４の開閉扉５を開放する権利を発生させる。この場合、３つのセグメント表示体２ａ〜２ｃにそれぞれ権利発生図柄「７」が表示される確率は、１／１０であるため、「７７７」が出現する確率は、１／１０００となる。
　　　【００１２】
　上記した入賞開口４の開閉扉５を開放する権利が発生している期間に打球が始動口２０に入賞すれば、入賞開口４の開閉扉５が開放するのであるが、打球が特定入賞口１に入賞した場合には、セグメント表示体２ａだけに再度数値が可変表示される。そして、セグメント表示体２ａの可変表示が停止して数値が表示され、この数値があらかじめ設定部３８で定められていた数値（例えば、０）と同一であれば、入賞開口４の開閉扉５を開放する権利が消滅する。この権利消滅図柄「０」が出現する確率は、１／１０である。また、権利が消滅すると同時に、切換スイッチ３１により打球が特定入賞口１に入賞したときに数値が可変表示されるべきセグメント表示体を左のセグメント表示体２ａから中央のセグメント表示体２ｂに変更する。そして、中央のセグメント表示体２ｂでも次の打球が特定入賞口１に入賞すると数値が可変表示され、セグメント表示体２ｂに表示される数値と設定部３８にあらかじめ定められている数値（例えば、７）とが一致した場合には、入賞開口４の開閉扉５を開放する権利が発生する。この権利発生図柄「７」の出現確率は、１／１０である。また、権利が発生すると同時に数値が可変表示される位置が右のセグメント表示体２ｃに変更される。そして、再度次の打球が特定入賞口１に入賞すると数値が可変表示され、セグメント表示体２ｃに表示される数値と設定部３８にあらかじめ定められている数値（例えば、０）とが一致した場合には、権利が消滅する。この権利消滅図柄「０」の出現確率は、１／１０である。また、この権利消滅と同時に初期の通常状態に戻る。
　　　　【００１３】
　なお、上記した方法と異なる方法で可変表示体の可変表示手段及び表示位置変更手段を構成しても良いし、その制御もマイクロコンピュータを使用してソフト的に制御しても良い。
　　　【００１４】
　　【発明の効果】
　以上、説明したところがら明らかなように、本発明に係るパチンコ遊技機にあっては、遊技の進行状況に応じて可変表示体に表示される特賞発生図柄の出現確率を変化させるとともに、その可変表示体の表示態様により特賞発生図柄の出現確率の変化が判別できるよう可変表示体を制御する表示制御手段を設けたので、特賞発生状態が定まったテンポで出現することがなく、遊技に抑揚を持たせて遊技の単調化を防止し、もって遊技者の興趣を引き付けることが可能となる。
【図面の簡単な説明】
　　【図１】
　実施例に係るパチンコ遊技機の遊技盤の正面図である。
　　【図２】
　可変表示体が設けられる変動入賞装置を表側より見た斜視図である。
　　【図３】
　同変動入賞装置を裏側より見た斜視図である。
　　【図４】
　同変動入賞装置の正面図である。
　　【図５】
　同変動入賞装置の断面図である。
　　【図６】
　同変動入賞装置に設けられるセグメント表示体の動作を制御する制御回路のブロック図である。
　　【符号の説明】
　１　特定入賞口
　２ａ〜２ｃ　可変表示体
　３　特別装置
　４　入賞開口
　５　開閉扉
　１０　変動入賞装置
　２０　始動口